(57)【要約】【課題】  付箋紙に所定の印刷を施しており、かつ粘着剤の塗工面積が比較的大きいため、使いやすく、剥がれにくい粘着性付箋の提供。【解決手段】  基材シート（Ａ）片面の端縁部の少なくとも一部に、再貼着再剥離可能な粘着剤からなる粘着剤塗工部（Ｂ）を、塗布、形成されてなる粘着性付箋であって、  基材シート（Ａ）の片面または両面は、筆記具等で容易に選択できる文字および／または図形が印刷されており、かつ、  粘着剤塗工部（Ｂ）の面積が、基材シート（Ａ）全面積の３０％以上であることを特徴とする粘着性付箋による。【選択図】  図１
2009149020.tif 000002
【特許請求の範囲】
【請求項１】
基材シート（Ａ）片面の端縁部の少なくとも一部に、再貼着再剥離可能な粘着剤からなる粘着剤塗工部（Ｂ）を、塗布、形成されてなる粘着性付箋であって、
基材シート（Ａ）の片面または両面は、筆記具等で容易に選択できる文字および／または図形が印刷されており、かつ、
粘着剤塗工部（Ｂ）の面積が、基材シート（Ａ）全面積の３０％以上であることを特徴とする粘着性付箋。
【請求項２】
基材シート（Ａ）が、紙であることを特徴とする請求項１に記載の粘着性付箋。
【請求項３】
基材シート（Ａ）が、プラスチックフィルムであることを特徴とする請求項１に記載の粘着性付箋。
【請求項４】
前記プラスチックフィルムが、透明または半透明であることを特徴とする請求項３に記載の粘着性付箋。
【請求項５】
基材シート（Ａ）が、布であることを特徴とする請求項１に記載の粘着性付箋。
【請求項６】
前記粘着剤が、アクリル系粘着剤を含有するものであることを特徴とする請求項１〜５のいずれか１項に記載の粘着性付箋。
【請求項７】
前記文字および／または図形が、書類の署名箇所および／または捺印箇所を示すものであることを特徴とする請求項１〜６のいずれか１項に記載の粘着性付箋。
【請求項８】
前記文字および／または図形が、荷物の設置場所および／または荷物の中身を示すものであることを特徴とする請求項１〜６のいずれか１項に記載の粘着性付箋。
【請求項９】
前記文字および／または図形が、材料の不良箇所部分および／または不良箇所に該当する設計図面番号の記載場所を示すものであることを特徴とする請求項１〜６のいずれか１項に記載の粘着性付箋。
【請求項１０】
粘着性付箋が、積層されて積層体を形成していることを特徴とする請求項１〜９のいずれか１項に記載の粘着性付箋。
【発明の詳細な説明】
【技術分野】
【０００１】
本発明は、粘着性付箋に関し、詳しくは、付箋紙に所定の印刷を施しており、かつ粘着剤の塗工面積が比較的大きいため、使いやすく、剥がれにくい粘着性付箋に関するものである。
【背景技術】
【０００２】
従来より、事務仕事等の際のメモ等に付箋が利用されている。この付箋は、一般的に、特許文献１のように略長方形の片状をなす紙片の長手方向一端側裏面に粘着剤層が設けられており、これを積層体とした単位で市販されている。そして、利用する場合に、一枚ずつ積層体から引き剥がして必要な箇所に貼付されるようになっている。
【０００３】
事務作業のひとつとして保険や住宅の賃貸契約の契約書を作成する場合が挙げられる。具体的には、例えば保険営業員が契約書を作成し、契約者に署名、捺印を依頼する際、場所を明示するために、鉛筆で書類に直接書いて知らせることが行われている。しかし、これは営業員にとっても時間と手間の浪費であり、契約者にとっても署名・捺印箇所の間違いは少なくなるものの、最後に鉛筆での筆記部分を消しゴムで消す必要が生じる。
【０００４】
これらを改善する手段として、紙を基材とした一般的な付箋を用いる方法があるが、一般的な付箋は粘着剤の塗工面積が小さく、付箋紙を一枚ずつ剥がす時に基材のカールが発生するため、作業性が悪い。また、付箋紙を貼る前か後で、署名、捺印に関して筆記具で記載する必要があり、これは手間が掛かる。また、紙基材であるため、書類の文字が大幅に隠れるため、一度貼った付箋紙を取り剥がして書類を確認する必要性が生じる。
【０００５】
一方、事務以外の作業の際にも付箋を用いると作業の効率化を図れる場合が多い。
例えば引っ越し時の荷物運搬作業が挙げられる。引っ越し業者は引っ越し元で荷物の入った段ボールに、引っ越し先での設置場所、荷物の中身をマジック等の筆記具で記載する。この場合、荷物を送り届けた後の使用済みの段ボールは廃棄しなければならない。引っ越し一件当たりの段ボール使用量は数十個に及びコスト的に無駄が多い。また、環境配慮の観点からもこれは好ましくない。
【０００６】
これを改善する手段として、紙を基材とした一般的な付箋を用いれば、使用後は段ボールから剥がすことが出来る。しかし、一般的な付箋は粘着剤の塗工面積が小さく、付箋紙を一枚ずつ剥がす時に基材のカールが発生するため、段ボールに付きにくく、時間と共に剥がれやすい。トラック等での荷物の輸送時には、段ボール間でのこすれ等のため、より剥がれやすくなる。また、一般的な付箋は基材が無地であるため、荷物の設置場所等の情報を筆記具で書かなければならず作業も繁雑である。
【０００７】
また、例えば建築現場での物件検査作業が挙げられる。住宅等の建築物件が完工されるまでに、数回の検査プロセスがある。傷・汚れ、使用材料のグレード間違い等の不良箇所を発見した場合、現状では、紙基材のマスキングテープ等を所定箇所の付近に貼り付け目印としている。
貼ったテープに不良状況等をペンで書く。しかし、以下のような問題がある。第一に、テープは持ち運びに不便であることと、ロール状態から巻きだして、手で切って貼らねばならず作業の効率が悪い。また、テープ製品の形状から考えて一旦、被着体に貼ってから書かねばならず、これも非常に不便である。第二に、これらのテープは、特に凹凸面を有する被着体への貼り付き性は不充分であり、剥がれてしまうことが多い。そのため不良箇所を見逃してしまい、後の工程に大きな影響を及ぼし、費用の無駄が生じる。第三に、これらのテープの基材は一般的に不透明な紙であり、正確な場所に貼らないと不良箇所がテープで隠れて見えなくなってしまう場合もある。
【０００８】
これらを改善する手段として、紙を基材とした一般的な付箋を用いる方法があるが、一般的な付箋は粘着剤の塗工面積が小さく、付箋紙を一枚ずつ剥がす時に基材のカールが発生するため、被着体に付きにくく、時間と共に剥がれやすい。また、マスキングテープの
ように不良箇所が隠れて見えなくなってしまう場合もある。
【０００９】
従って、いずれの場合においても、情報の記入が容易で使いやすく、どんな被着体であっても剥がれにくい粘着性付箋が望まれていた。
【００１０】
【特許文献１】特開平１１−３４２６９０号広報
【発明の開示】
【発明が解決しようとする課題】
【００１１】
本発明の目的は、付箋紙に所定の印刷を施しており、かつ粘着剤の塗工面積が比較的大きいため、使いやすく、剥がれにくい粘着性付箋を提供することにある。
【課題を解決するための手段】
【００１２】
本発明者らは、上記目的を達成するために、鋭意研究を重ねた結果、基材シート（Ａ）の片面または両面は、筆記具等で容易に選択できる文字および／または図形が印刷されており、かつ、基材シート（Ａ）片面の端縁部の少なくとも一部に塗布、形成される再貼着再剥離可能な粘着剤からなる粘着剤塗工部（Ｂ）の面積が、基材シート（Ａ）全面積の３０％以上である粘着性付箋が、使いやすく、剥がれにくい粘着性付箋となることを見出した。それらの知見に、さらに検討を重ね、本発明を完成するに至った。
【００１３】
すなわち、本発明の第１の発明によれば、基材シート（Ａ）片面の端縁部の少なくとも一部に、再貼着再剥離可能な粘着剤からなる粘着剤塗工部（Ｂ）を、塗布、形成されてなる粘着性付箋であって、
基材シート（Ａ）の片面または両面は、筆記具等で容易に選択できる文字および／または図形が印刷されており、かつ、
粘着剤塗工部（Ｂ）の面積が、基材シート（Ａ）全面積の３０％以上であることを特徴とする粘着性付箋が提供される。
【００１４】
また、本発明の第２の発明によれば、第１の発明において、基材シート（Ａ）が、紙であることを特徴とする粘着性付箋が提供される。
【００１５】
また、本発明の第３の発明によれば、第１の発明において、基材シート（Ａ）が、プラスチックフィルムであることを特徴とする粘着性付箋が提供される。
【００１６】
また、本発明の第４の発明によれば、第３の発明において、前記プラスチックフィルムが、透明または半透明であることを特徴とする粘着性付箋が提供される。
【００１７】
また、本発明の第５の発明によれば、第１の発明において、基材シート（Ａ）が、布であることを特徴とする粘着性付箋が提供される。
【００１８】
また、本発明の第６の発明によれば、第１〜５のいずれかの発明において、前記粘着剤が、アクリル系粘着剤を含有するものであることを特徴とする粘着性付箋が提供される。
【００１９】
また、本発明の第７の発明によれば、第１〜６のいずれかの発明において、前記文字および／または図形が、書類の署名箇所および／または捺印箇所を示すものであることを特徴とする粘着性付箋が提供される。
【００２０】
また、本発明の第８の発明によれば、第１〜６のいずれかの発明において、前記文字および／または図形が、荷物の設置場所および／または荷物の中身を示すものであることを特徴とする粘着性付箋が提供される。
【００２１】
また、本発明の第９の発明によれば、第１〜６のいずれかの発明において、前記文字および／または図形が、材料の不良箇所部分および／または不良箇所に該当する設計図面番号の記載場所を示すものであることを特徴とする粘着性付箋が提供される。
【００２２】
また、本発明の第１０の発明によれば、第１〜９のいずれかの発明において、粘着性付箋が、積層されて積層体を形成していることを特徴とする粘着性付箋が提供される。
【発明の効果】
【００２３】
本発明の粘着性付箋によれば、第１の発明においては、基材シート（Ａ）の片面または両面に、筆記具等で容易に選択できる文字および／または図形が印刷されており、かつ、粘着剤塗工部（Ｂ）の面積が、基材シート（Ａ）全面積の３０％以上であることを特徴とする粘着性付箋であるので、例えば、被着体が書類の場合は書類の署名および／または捺印箇所等、被着体が引越しに用いるダンボールの場合は荷物の設置場所および／または荷物の中身等および被着体が建築現場での建築物各部の場合は材料の不良箇所の明示部分及び不良箇所に該当する設計図面番号の記載場所等が印刷されていることにより、前記各情報を筆記具等で容易に選択でき、しかも、従来の粘着剤が剥がれ易い被着体である建築構造体または段ボール等への貼り付き性が良好であり、経時後も剥がれが発生する事がなく、段ボール等の被着体の保護及び再利用化並びに作業の効率化および費用の削減等を達成できるという効果がある。
【００２４】
また、第２の発明においては、基材シート（Ａ）が、紙であると特定しているので、付箋として使いやすいという効果がある。
また、第３の発明においては、基材シート（Ａ）が、プラスチックフィルムであると特定しているので、付箋紙の剥がし時にカールが発生せず、使いやすく、例えば段ボール等に、より貼り付きやすいという効果がある。
また、第４の発明においては、前記プラスチックフィルムが、透明または半透明であると特定しているので、被着体、例えば下地等を目視で確認することができるので、正確な場所の明示が可能である、貼った付箋を取り外さなくても書類の内容の確認が可能であるという効果がある。
また、第５の発明においては、基材シート（Ａ）が、布であると特定しているので、付箋紙の剥がし時にカールが発生せず、使いやすく、例えば段ボール等に、より貼り付きやすいという効果がある。
【００２５】
また、第６の発明においては、前記粘着剤が、アクリル系粘着剤を含有するものであると特定しているので、被着体への糊残りがなく繰り返し使用が可能であるという効果がある。
【００２６】
また、第７の発明においては、前記文字および／または図形が、書類の署名箇所および／または捺印箇所を示すものであると特定しているので、例えば契約書類の作成時に署名、捺印箇所を的確に明示でき、被着体への貼り付き性も良好であるため著しい作業の効率化を達成できるという効果がある。
また、第８の発明においては、前記文字および／または図形が、荷物の設置場所および／または荷物の中身を示すものであると特定しているので、例えば引っ越し作業時に荷物の設置場所、中身の情報を筆記具等で容易に選択でき、作業の効率化と段ボールの再利用化を達成できるという効果がある。
また、第９の発明においては、前記文字および／または図形が、材料の不良箇所部分および／または不良箇所に該当する設計図面番号の記載場所を示すものであると特定しているので、例えば建築現場での検査時に、不良箇所を的確に明示でき、被着体への貼り付き性も良好であるため作業の効率化と工程費用の削減を達成できるという効果がある。
【００２７】
また、第１０の発明においては、粘着性付箋が、積層されて積層体を形成していると特定しているので、実用性が向上した粘着性付箋であるという効果がある。
【発明を実施するための最良の形態】
【００２８】
本発明の粘着性付箋（以下、単に「付箋」とも言う。）は、基材シート（Ａ）の片面または両面に、筆記具等で容易に選択できる文字および／または図形が印刷されており、かつ、粘着剤塗工部（Ｂ）の面積が、基材シート（Ａ）全面積の３０％以上であることを特徴とする粘着性付箋である。
図１〜９は、それぞれ、本発明の粘着性付箋の一例を模式的に示した図であり、基材シート（Ａ）の片面に印刷される、筆記具等で容易に選択できる文字および／または図形の一例を示したものである。以下、本発明の粘着性付箋について、詳細に説明する。
【００２９】
１．基材シート（Ａ）
（１）基材の材質
本発明の粘着性付箋に使用される基材シートとしては、紙、プラスチックフィルムまたは布等を使用することができる。
紙としては、例えば、上質紙、色上質紙、中質紙、アート紙、コート紙、ケント紙、ノンカーボン紙、模造紙等が挙げられる。これら紙はあくまでも例であって、基材の種類としてはこれに限定されるものではない。
プラスチックフィルムとしては、例えば、ポリプロピレン、ポリエチレン、ポリ塩化ビニル、ポリエチレンテレフタレート(ＰＥＴ)、ポリスチレン、ポリアミド、ポリウレタン等を任意の方法で成型したものを用いることが出来る。
前記プラスチックフィルムは、透明または半透明であるものが好ましい。被着体、例えば下地等を目視で確認することができるので、正確な場所の明示が可能である、貼った付箋を取り外さなくても書類の内容の確認が可能である等のためである。
透明または半透明であるプラスチックフィルムとしては、例えば、ポリプロピレン、ポリエチレン、ポリ塩化ビニル、ポリエチレンテレフタレート(ＰＥＴ)、ポリウレタン等を任意の方法で成型したものを用いることが出来る。
これらプラスチックフィルムはあくまでも例であって、基材の種類としてはこれに限定されるものではない。また、実際の作業では、黒色等の油性ペンを使用する場合もあるが、鉛筆等を使用した場合の描画性を考慮して、上記フィルムの片面を凹凸面処理等したものを用いることもできる。
布としては、例えばポリプロピレン、ポリエチレン、ポリ塩化ビニル、ポリエチレンテレフタレート(ＰＥＴ)、レーヨン等を材料とした糸を織った繊維を、ポリエチレン等の樹脂で片面または両面ラミネート処理したものが挙げられる。これら布はあくまでも例であって、基材の種類としてはこれに限定されるものではない。
【００３０】
基材シートは、離型剤加工したものであってもよい。
また、基材シートは、端部が曲がったり、丸まったりしない程度の剛性を有し、薄く、できれば巻回できる柔軟性のあるものが好ましい。
【００３１】
基材シートの形状は、目的に応じて適宜自由に形成できる。例えば、四角形の他に、円形、楕円形、多角形、矢印型など自由に形成できる。
【００３２】
（２）基材シートの印刷
本発明の粘着性付箋に使用される基材シートに施される印刷内容に関しては、筆記具等で容易に選択できる文字および／または図形が印刷されていることが必要である。
例えば、被着体が書類である場合には、少なくとも付箋紙の端部に署名・捺印位置を明示する部分と署名、捺印を選択できる部分とを有していることが好ましい。付箋紙の端部に署名・捺印位置を明示する部分のデザインとしては、図１〜３にあるように矢印、長方形等が挙げられる。また、図３の例の様に、付箋紙自体が矢印型を有していても良い。これらはあくまでも例でありこれに限定されるものではない。
また、例えば、被着体が段ボールである場合には、少なくとも荷物の設置場所と荷物の内容・種類が記載されていることが好ましい。設置場所としては図４〜６の例にあるように、居間、台所、寝室、子供部屋等が挙げられる。荷物の内容・種類としては、われもの、衣類、本、ＣＤ等が挙げられる。これらはあくまでも例でありこれに限定されるものではない。また、印刷内容に、段ボールのナンバーを記載する場所や、荷物の重量に関する項目があってもよい。本発明品の使用者は、ペンで該当項目を丸印等で選択するだけで良い。
さらに、例えば、被着体が建築現場での建築物各部である場合には、少なくとも不良箇所を明示するデザイン部分と図面番号等を記載する部分を有していることが好ましい。不良箇所を明示するデザインとしては図７〜９の例にあるように平行線、略長方形、矢印等が挙げられる。図面番号等を記載する部分は、図面Ｎｏ．、不良状態等の項目が挙げられる。これらはあくまでも例でありこれに限定されるものではない。
【００３３】
前記印刷は通常基材シートの粘着剤塗工部がある面と別の面に施される。また、粘着性付箋を貼り付ける被着体が透明である場合は、粘着性付箋を被着体の裏に貼り付けることもあるため、こういった用途のために粘着剤塗工部がある面に印刷を施すこともできる。さらに、前記２つの場合のどちらにも使用できるようにするため、両面に印刷を施すこともできる。
【００３４】
基材シートの印刷は、グラビア印刷、フレキソ印刷等の一般的な印刷法が用いられる。その他、各種加工を施してもよい。
【００３５】
２．粘着剤塗工部（Ｂ）
（１）粘着剤の原料
本発明の付箋に使用される粘着剤としては、被着体への糊残りがなく繰り返し使用が可能等の特性が要求されるためアクリル系粘着剤が最適である。アクリル系粘着剤の中でも、溶剤型アクリル粘着剤及びアクリルエマルジョン型粘着剤（水系）が好適に用いられる。アクリル系粘着剤はポリ（メタ）アクリル酸エステルとタッキファイヤーを主成分とする組成物である。
【００３６】
溶剤型アクリル粘着剤の主成分であるポリ（メタ）アクリル酸エステルを形成する単量体としては、例えば、（メタ）アクリル酸エチル、（メタ）アクリル酸ブチル、（メタ）アクリル酸プロピル、（メタ）アクリル酸ペンチル、（メタ）アクリル酸ヘキシル、（メタ）アクリル酸へプチル、（メタ）アクリル酸オクチル、（メタ）アクリル酸−２−エチルヘキシル等が挙げられる。これら単量体はあくまでも例であって、種類としてはこれに限定されるものではない。これら単量体は単独で用いても良く２種以上併用してもよい。これらのポリ（メタ）アクリル酸エステルは、トルエン、酢酸エチル等の溶剤中でのラジカル重合法等の公知な方法で製造することが出来る。
【００３７】
アクリルエマルジョン型粘着剤の主成分であるアクリルエマルジョンの原料となる単量体としては、上記の溶剤型アクリル粘着剤の場合と同様のものが使用できる。これら単量体は単独で用いても良く２種以上併用してもよい。これらの重合体は、水中での乳化重合法等の公知な方法で製造できる。
【００３８】
本発明の付箋に使用されるタッキファイヤーとしては、例えば、ロジン、ロジン誘導体、テルペン系樹脂、石油樹脂、アルキルフェノール樹脂、キシレン樹脂、クマロンインデン樹脂等が挙げられる。
これらタッキファイヤーはあくまでも例であって、種類としてはこれに限定されるものではない。これらは単独で用いても良く２種以上併用してもよい。なお、本発明で用いられる粘着剤には性能上充分であれば、これらのタッキファイヤーを必ずしも配合する必要はない。
【００３９】
本発明の付箋に使用される粘着剤には、その他必要に応じて、酸化防止剤等の劣化防止剤、炭酸カルシウム、タルク、シリカ等の無機フィラーを添加することができる。
【００４０】
（２）形成方法
本発明の粘着性付箋は、粘着剤塗工部（Ｂ）の面積が、基材シート（Ａ）全面積の３０％以上であることが必要である。また、一旦被着体に貼り付けた付箋が自然に剥がれるのを防ぐという観点から、５０％以上であることが好ましい。
粘着剤塗工部（Ｂ）の形成方法としては、粘着剤を塗工すればよく、粘着剤の塗工方法としては、グラビア塗工が好適である。塗工システムとしては、例えば、ダイレクトグラビアコーター、リバースグラビアコーター、オフセットグラビアコーター等が挙げられる。塗工実施上必要ならば、溶剤または水で粘着剤組成物の粘度を適宜調整することが望ましい。
【００４１】
３．その他の層
本発明の粘着性付箋には、通常、離型剤、アンカー剤が用いられる。離型剤は基材の剥がし力を低減させる目的で、基材の粘着剤層が形成されないもう一方の片面に部分塗工される。アンカー剤は基材と粘着剤の密着力を増加させる目的で、基材の粘着剤が設置される部分に塗工される。
【００４２】
本発明で用いられる離型剤としては、例えば、シリコーン系離型剤、アルキルペンダント系離型剤、縮合ワックス系離型剤等が用いられる。これら単量体は単独で用いても良く２種以上併用してもよい。
【００４３】
本発明で用いられるアンカー剤としては、基材の種類に応じて適切なものを選択する必要がある。これらは一般的に粘着テープに用いられているアンカー剤を使用できる。
【実施例】
【００４４】
以下に、本発明の実施例及び比較例によって、本発明をさらに詳細に説明するが、本発明は、これらの実施例によってなんら限定されるものではない。
【００４５】
実施例及び比較例に用いた粘着剤、塗工方法及び測定方法は、以下に示す通りである。
［粘着剤］
（粘着剤Ａ）
綜研化学社製アクリル溶剤系粘着剤「ＳＫダイン  １１３１Ｂ」１００重量部に対して、日本ポリウレタン工業製「コロネートＬ−４５」を０．５重量部添加し混合したものを粘着剤Ａとした。
（粘着剤Ｂ）
綜研化学社製アクリルエマルジョン系粘着剤「ＳＫダイン  ＲＥ−３３９」１００重量部に対して、綜研化学社製「Ｅ−５Ｃ」を１．３重量部添加し混合したものを粘着剤Ｂとした。
【００４６】
［塗工方法］
グラビアロールにより塗工を行った。塗工面積は、付箋紙のサイズに対しての割合をパーセント表示した。
【００４７】
［印刷方法］
粘着剤を塗工した面と反対側の面に、グラビア印刷により、実施例１〜５及び比較例１〜３については図１の模様を、実施例６〜８及び比較例２〜６については図４の模様を、実施例９〜１１及び比較例７〜９については図７の模様を、それぞれ印刷した。
【００４８】
［測定方法］
（粘着力の測定）
２５ｍｍ×７５ｍｍにカットした一枚の付箋紙を、ＪＩＳ  Ｚ０２３７に準拠したＳＵＳ版に貼り付け、ＪＩＳ  Ｚ０２３７に準拠した方法で、ＳＵＳ版に対する粘着力を測定した。粘着力が０．５Ｎ／２５ｍｍ以上であるものを合格とした。
（経時後の貼り付き性の評価）
７５ｍｍ×７５ｍｍのサイズの付箋の束を作製した。その束から剥がした一枚の付箋紙を段ボールに貼り付け、５時間後の状態を観察した。一部でも、剥がれ浮き等が発生した場合は×とした。
【００４９】
［実施例及び比較例］
（実施例１）
粘着剤Ａを用いて、基材シートであるＯＰＰフィルム（厚み４０ミクロン）に塗工し、付箋を作製した。
（実施例２）
粘着剤Ａを用いて、基材シートであるＯＰＰフィルム（厚み４０ミクロン）に塗工し、付箋を作製した。
（実施例３）
粘着剤Ａを用いて、基材シートであるＯＰＰフィルム（厚み４０ミクロン）に塗工し、付箋を作製した。
（実施例４）
粘着剤Ｂを用いて、基材シートであるＰＥＴフィルム（厚み３０ミクロン）に塗工し、付箋を作製した。
（実施例５）
粘着剤Ｂを用いて、基材シートであるＰＥＴフィルム（厚み３０ミクロン）に塗工し、付箋を作製した。
【００５０】
（比較例１）
粘着剤Ａを用いて、基材シートであるＯＰＰフィルム（厚み４０ミクロン）に塗工し、付箋を作製した。
（比較例２）
粘着剤Ａを用いて、基材シートであるＯＰＰフィルム（厚み４０ミクロン）に塗工し、付箋を作製した。
（比較例３）
粘着剤Ｂを用いて、基材シートであるＰＥＴフィルム（厚み３０ミクロン）に塗工し、付箋を作製した。
【００５１】
（実施例６）
粘着剤Ａを用いて、基材シートである上質紙（坪量８０ｇ／ｍ２）に塗工し、付箋を作製した。
（実施例７）
粘着剤Ａを用いて、基材シートであるＯＰＰフィルム（厚み４０ミクロン）に塗工し、付箋を作製した。
（実施例８）
粘着剤Ａを用いて、基材シートであるＯＰＰフィルム（厚み４０ミクロン）に塗工し、付箋を作製した。
（実施例９）
粘着剤Ｂを用いて、基材シートであるＯＰＰフィルム（厚み４０ミクロン）に塗工し、付箋を作製した。
（実施例１０）
粘着剤Ｂを用いて、基材シートであるＯＰＰフィルム（厚み４０ミクロン）に塗工し、付箋を作製した。
【００５２】
（比較例４）
粘着剤Ａを用いて、基材シートである上質紙（坪量８０ｇ／ｍ２）に塗工し、付箋を作製した。
（比較例５）
粘着剤Ａを用いて、基材シートであるＯＰＰフィルム（厚み４０ミクロン）に塗工し、付箋を作製した。
（比較例６）
粘着剤Ｂを用いて、基材シートであるＯＰＰフィルム（厚み４０ミクロン）に塗工し、付箋を作製した。
【００５３】
（実施例１１）
粘着剤Ａを用いて、基材シートであるＯＰＰフィルム（厚み４０ミクロン）に塗工し、付箋を作製した。
（実施例１２）
粘着剤Ａを用いて、基材シートであるＯＰＰフィルム（厚み４０ミクロン）に塗工し、付箋を作製した。
（実施例１３）
粘着剤Ａを用いて、基材シートであるＯＰＰフィルム（厚み４０ミクロン）に塗工し、付箋を作製した。
（実施例１４）
粘着剤Ｂを用いて、基材シートであるＰＥＴフィルム（厚み３０ミクロン）に塗工し、付箋を作製した。
（実施例１５）
粘着剤Ｂを用いて、基材シートであるＰＥＴフィルム（厚み３０ミクロン）に塗工し、付箋を作製した。
【００５４】
（比較例７）
粘着剤Ａを用いて、基材シートであるＯＰＰフィルム（厚み４０ミクロン）に塗工し、付箋を作製した。
（比較例８）
粘着剤Ａを用いて、基材シートであるＯＰＰフィルム（厚み４０ミクロン）に塗工し、付箋を作製した。
（比較例９）
粘着剤Ｂを用いて、基材シートであるＰＥＴフィルム（厚み３０ミクロン）に塗工し、付箋を作製した。
【００５５】
作成した粘着性付箋について、前記各測定を行った。結果を、実施例１〜５及び比較例１〜３については表１に、実施例６〜８及び比較例２〜６については表２に、実施例９〜１１及び比較例７〜９については表３に示す。なお、粘着力は、粘着性付箋として、いずれも満足するものであった。
【００５６】
【表１】
2009149020.tif 000003
【００５７】
【表２】
2009149020.tif 000004
【００５８】
【表３】
2009149020.tif 000005
【００５９】
［評価］
表１〜３の評価結果から、実施例と発明特定事項を満たさない比較例とを比べた。
比較例１〜９のそれぞれによる粘着性付箋は、粘着剤の塗工面積が小さいため、経時後の貼り付き性が不充分であり実用上問題があるものであった。
これらに比べて、実施例１〜１５のそれぞれによる粘着性付箋は初期の粘着力も良好でかつ経時後の貼り付き性も満足できるものであり、実用性が高い粘着性付箋であることが確認できた。
【産業上の利用可能性】
【００６０】
本発明の粘着性付箋は、基材に特定の印刷を施し、かつ粘着剤を特定の塗工面積で塗布してあるため、著しく作業の効率の向上が可能な粘着性付箋として有用である。
例えば、契約書類等において署名、捺印箇所の明示用として使用でき、作業の効率化が実現できる粘着性付箋、引っ越し作業時に使用でき、作業の効率化と段ボールの再利用化が実現できる粘着性付箋及び建築現場での検査用として使用でき、作業の効率化と費用の浪費防止が実現できる粘着性付箋として、特に有用である。
【図面の簡単な説明】
【００６１】
【図１】本発明の粘着性付箋の一例を示す模式図である。
【図２】本発明の粘着性付箋の一例を示す模式図である。
【図３】本発明の粘着性付箋の一例を示す模式図である。
【図４】本発明の粘着性付箋の一例を示す模式図である。
【図５】本発明の粘着性付箋の一例を示す模式図である。
【図６】本発明の粘着性付箋の一例を示す模式図である。
【図７】本発明の粘着性付箋の一例を示す模式図である。
【図８】本発明の粘着性付箋の一例を示す模式図である。
【図９】本発明の粘着性付箋の一例を示す模式図である。
【図１】
2009149020.tif 000006
【図２】
2009149020.tif 000007
【図３】
2009149020.tif 000008
【図６】
2009149020.tif 000009
【図７】
2009149020.tif 000010
【図８】
2009149020.tif 000011
【図９】
2009149020.tif 000012
【図４】
2009149020.tif 000013
【図５】
2009149020.tif 000014